(57)【要約】      （修正有）【課題】ユーザに撮像条件を直感的に理解できるよう明示する。【解決手段】撮像結果の予測画像をシャッター速度に基づいて予測画像を生成し、前記シャッター速度に応じた更新周期で前記予測画像の表示を更新する。また、絞り値、ＩＳＯ感度、またはホワイトバランスの少なくともいずれか一つを含む撮像条件に基づいて、予測画像へのエフェクト処理を行う。【選択図】図５
2014123848.tif 000002
【特許請求の範囲】
【請求項１】
撮像結果の予測画像をシャッター速度に基づいて生成する予測画像生成部と、
前記シャッター速度に応じた更新周期で前記予測画像の表示を更新する表示制御部と、
を備える表示制御装置。
【請求項２】
前記予測画像生成部は、複数の前記シャッター速度に基づいて、各シャッター速度に対応する前記予測画像をそれぞれ生成する、請求項１に記載の表示制御装置。
【請求項３】
前記表示制御部は、各シャッター速度に対応する前記予測画像を同一画面に並べて表示させる、請求項２に記載の表示制御装置。
【請求項４】
前記表示制御装置は、ユーザにより前記予測画像のいずれかが選択された場合、選択された前記予測画像に対応するシャッター速度を、撮像に使用する撮像条件に反映させる設定反映部をさらに備える、請求項３に記載の表示制御装置。
【請求項５】
前記表示制御部は、前記予測画像を撮像中のプレビュー画に重畳して表示する、請求項１に記載の表示制御装置。
【請求項６】
前記表示制御部は、ユーザの操作がされた場合、前記予測画像の更新の停止、または更新を停止した前記予測画像の更新の再開を行う、請求項５に記載の表示制御装置。
【請求項７】
前記表示制御部は、前記予測画像に前記シャッター速度に応じたエフェクト処理を行い、
前記エフェクト処理は、前記更新周期に応じた周期を有する、請求項１に記載の表示制御装置。
【請求項８】
撮像結果の予測画像を撮像条件に基づいて生成する予測画像生成部と、
前記撮像条件に応じて、前記予測画像へのエフェクト処理を行う表示制御部と、
を備える表示制御装置。
【請求項９】
前記予測画像生成部は、複数の前記撮像条件に基づいて、各撮像条件に対応する前記予測画像をそれぞれ生成する、請求項８に記載の表示制御装置。
【請求項１０】
前記表示制御部は、各撮像条件に対応する前記予測画像を同一画面に並べて表示させる、請求項９に記載の表示制御装置。
【請求項１１】
前記表示制御装置は、ユーザにより前記予測画像のいずれかが選択された場合、選択された前記予測画像に対応する撮像条件を、撮像に使用する撮像条件に反映させる設定反映部をさらに備える、請求項１０に記載の表示制御装置。
【請求項１２】
前記表示制御部は、前記予測画像を、撮像中のプレビュー画に重畳して表示する、請求項８に記載の表示制御装置。
【請求項１３】
前記表示制御部は、ユーザの操作がされた場合、前記エフェクト処理の停止、または停止した前記エフェクト処理の再開を行う、請求項１２に記載の表示制御装置。
【請求項１４】
前記撮像条件は、シャッター速度を含む条件である、請求項８に記載の表示制御装置。
【請求項１５】
前記表示制御部は、速いシャッター速度に基づいて生成された前記予測画像ほど、該予測画像を速い速度で移動させるエフェクト処理を行う、請求項１４に記載の表示制御装置。
【請求項１６】
前記表示制御部は、速いシャッター速度に基づいて生成された前記予測画像ほど、該予測画像を短い間隔で点滅させるエフェクト処理を行う、請求項１４に記載の表示制御装置。
【請求項１７】
前記撮像条件は、絞り値、ＩＳＯ感度、またはホワイトバランスの少なくともいずれか一つを含む条件である、請求項８に記載の表示制御装置。
【請求項１８】
撮像結果の予測画像をシャッター速度に基づいて生成することと、
前記シャッター速度に応じた更新周期で前記予測画像の表示を更新することと、
を含む表示制御方法。
【請求項１９】
撮像結果の予測画像を撮像条件に基づいて生成することと、
前記撮像条件に応じて、前記予測画像へのエフェクト処理を行うことと、
を含む表示制御方法。
【発明の詳細な説明】
【技術分野】
【０００１】
本開示は、表示制御装置および表示制御方法に関する。
【背景技術】
【０００２】
近年、デジィタルカメラに代表される、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサまたはＣＣＤ（Ｃｈａｒｇｅ  Ｃｏｕｐｌｅｄ  Ｄｅｖｉｃｅ）イメージセンサ等の撮像素子を有する撮像装置が広く普及している。このような撮像装置の多くには、撮像している画像をその都度ユーザに確認させるため、プレビュー画（スルー画、ＥＥ画ともいう）と呼ばれる画像を表示する機能が設けられている。
【０００３】
プレビュー画とは、撮像装置に内蔵されている撮像素子により光電変換された、そのとき撮像装置が撮像している画像である。プレビュー画は、例えば、撮像装置本体に内蔵された表示パネルに出力されたり、該撮像装置に接続された外部表示装置に出力されたりする。ユーザは該プレビュー画を見ることにより、撮像装置により撮像される画像の構図や手振れ量等を常時確認することができる。
【０００４】
しかし、ユーザがプレビュー画にて撮像される画像を確認した後に撮像を行った場合でも、シャッター速度などの撮像条件によっては、実際の撮像結果がプレビュー画と異なることがあった。係る場合に対応するため、例えば、特許文献１には、連続的に取得したプレビュー画を複数枚合成して予測画像を生成し、該予測画像をプレビュー画に重畳して表示する技術が開示されている。
【先行技術文献】
【特許文献】
【０００５】
【特許文献１】特開２００８−４２３８２号公報
【発明の概要】
【発明が解決しようとする課題】
【０００６】
しかし、上記の特許文献１に開示された技術では、プレビュー画に重畳された予測画像がどのような撮像条件によって撮像されているのかを、ユーザが直感的に理解することが難しかった。
【０００７】
そこで、本開示では、予測画像を撮像条件と対応させて表現することが可能な改良された表示制御装置および表示制御方法を提案する。
【課題を解決するための手段】
【０００８】
本開示によれば、撮像結果の予測画像をシャッター速度に基づいて生成する予測画像生成部と、前記シャッター速度に応じた更新周期で前記予測画像の表示を更新する表示制御部と、を備える表示制御装置が提供される。
【０００９】
また、本開示によれば、撮像結果の予測画像を撮像条件に基づいて生成する予測画像生成部と、前記撮像条件に応じて、前記予測画像へのエフェクト処理を行う表示制御部と、を備える表示制御装置が提供される。
【００１０】
また、本開示によれば、撮像結果の予測画像をシャッター速度に基づいて生成することと、前記シャッター速度に応じた更新周期で前記予測画像の表示を更新することと、を含む表示制御方法が提供される。
【００１１】
また、本開示によれば、撮像結果の予測画像を撮像条件に基づいて生成することと、前記撮像条件に応じて、前記予測画像へのエフェクト処理を行うことと、を含む表示制御方法が提供される。
【発明の効果】
【００１２】
以上説明したように本開示によれば、予測画像を撮像条件と対応させて表現することが可能である。
【図面の簡単な説明】
【００１３】
【図１】本開示の実施形態に係る表示制御装置の具体例を示した外観図である。
【図２】本開示に係る表示制御装置の内部構成を示したブロック図である。
【図３】シャッター速度に基づいて予測画像を生成する方法を説明する説明図である。
【図４】第１の表示制御例の動作を説明するフローチャート図である。
【図５】第１の表示制御例における表示の具体例を示した説明図である。
【図６】第１の表示制御例における予測画像の更新周期を説明する説明図である。
【図７】絞り値に基づいて予測画像を生成する方法を説明する説明図である。
【図８】ＩＳＯ感度に基づいて予測画像を生成する方法を説明する説明図である。
【図９】ホワイトバランスに基づいて予測画像を生成する方法を説明する説明図である。
【図１０】第２の表示制御例の動作を説明するフローチャート図である。
【図１１】第２の表示制御例においてシャッター速度に基づいた予測画像にエフェクト処理を施した表示の具体例を示した説明図である。
【図１２】図１１においてプレビュー停止ボタンが押された場合の表示の具体例を示した説明図である。
【図１３】図１１においてエフェクト処理の第１の変形例を示した説明図である。
【図１４】図１１においてエフェクト処理の第２の変形例を示した説明図である。
【図１５】第２の表示制御例において絞り値に基づいた予測画像にエフェクト処理を施した表示の具体例を示した説明図である。
【図１６】第２の表示制御例においてＩＳＯ感度に基づいた予測画像にエフェクト処理を施した表示の具体例を示した説明図である。
【図１７】第２の表示制御例においてホワイトバランスに基づいた予測画像にエフェクト処理を施した表示の具体例説明図である。
【図１８】第３の表示制御例の動作を説明するフローチャート図である。
【図１９】本開示の実施形態に係る表示制御装置のハードウェア構成を示した説明図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．表示制御装置の構成
１．１．表示制御装置の外観例
１．２．表示制御装置の内部構成
２．表示制御装置の表示制御の形態
２．１．第１の表示制御例
２．１．１．第１の表示制御例の動作
２．１．２．第１の表示制御例における表示の具体例
２．２．第２の表示制御例
２．２．１．第２の表示制御例の動作
２．２．２．第２の表示制御例における表示の具体例
２．３．第３の表示制御例
２．３．１．第３の表示制御例の動作
３．表示制御装置のハードウェア構成
【００１６】
＜１．表示制御装置の構成＞
［１．１．表示制御装置の外観例］
まず、図１を参照して、本開示の実施形態に係る表示制御装置の概略構成について説明する。図１は、本開示の実施形態に係る表示制御装置の具体例を示した外観図である。
【００１７】
図１に示すように、本開示の実施形態に係る表示制御装置１は、表示入力部３と、撮像部５と、を備える。例えば、表示制御装置１は、画像表示機能を有するディジタルカメラなどである。
【００１８】
撮像部５は、撮像レンズおよび撮像素子等を備える。撮像素子は、ＣＭＯＳイメージセンサまたはＣＣＤイメージセンサなどで構成され、撮像レンズを介して入射する被写体からの光を受光して光電変換を行い、画像信号に変換する。すなわち、撮像部５は、被写体を撮像することによって、被写体の画像を取得することができる。ここで、撮像部５は、図１に示すような撮像素子と撮像レンズが一体化された構成に限定されない。例えば、撮像部５は、撮像レンズが着脱可能なレンズ交換式カメラ等であってもよい。
【００１９】
表示入力部３は、例えば、液晶ディスプレイ（Ｌｉｑｕｉｄ  Ｃｒｙｓｔａｌ  Ｄｉｓｐｌａｙ：ＬＣＤ）装置、またはＯＬＥＤ（Ｏｒｇａｎｉｃ  Ｌｉｇｈｔ  Ｅｍｉｔｔｉｎｇ  Ｄｉｏｄｅ）装置等であり、タッチパネル機能を有する。図１に示すように、表示制御装置１の一面に広い範囲にわたって設けられる。表示入力部３は、ユーザが被写体の画像の確認するために撮像部５により撮像されたプレビュー画、撮像済みの画像、または各種メニュー画面をユーザの操作に応じて表示する。また、ユーザは、表示入力部３のタッチパネル機能により、表示制御装置１へ情報を入力することができる。
【００２０】
ここで、以下においては、本開示の実施形態として、表示入力部３と、撮像部５と、を備える表示制御装置１を例示して本開示の説明を行うが、本開示の技術内容は係る実施形態に限定されない。
【００２１】
例えば、表示制御装置１は、撮像部５を備えず、外部の撮像装置と通信を行い、該撮像装置からプレビュー画および撮像画像を取得し、該撮像装置を遠隔制御する構成であってもよい。また、表示制御装置１は、表示入力部３を備えず、外部の表示装置と通信を行い、生成した表示画像を該表示装置に出力し、表示を制御する構成であってもよい。さらに、表示制御装置１は、表示入力部３および撮像部５を備えず、通信により外部の撮像装置から撮像画像を取得し、画像処理を行い、通信によって外部の表示装置に出力を行う構成であってもよい。
【００２２】
上記にて説明した、表示制御装置１と、外部の撮像装置または表示装置との通信手段には、例えば、有線ＬＡＮ（Ｌｏｃａｌ  Ａｒｅａ  Ｎｅｔｗｏｒｋ）、無線ＬＡＮ、および赤外線通信等が使用でき、有線、無線に関わらず多様な手段を使用することができる。
【００２３】
［１．２．表示制御装置の内部構成］
次に、図２を参照して、本開示の実施形態に係る表示制御装置１の内部構成について、説明を行う。図２は、本開示に係る表示制御装置１の内部構成を示したブロック図である。図２に示すように、表示制御装置１は、撮像部５と、プレビュー画記憶部１０２と、予測画像生成部１０４と、表示制御部１０６と、表示入力部３と、撮像設定記憶部１１０と、設定反映部１１２と、を備える。なお、表示入力部３および撮像部５について、図１を参照して説明した内容と重複する内容については、ここでの説明を省略する。
【００２４】
撮像部５は、撮像している画像をプレビュー画として取得する。具体的には、撮像部５は、撮像レンズおよび撮像素子等により被写体の画像を取得し、取得した画像をプレビュー画として表示入力部３に表示させる。ここで、撮像部５は、表示入力部３に表示させたプレビュー画を所定の周期(例えば、１／６０秒など)で更新するようにしてもよい。
【００２５】
プレビュー画記憶部１０２は、撮像部５が取得したプレビュー画を所定の周期で記憶する。プレビュー画記憶部１０２は、予測画像生成部１０４が予測画像を生成するために適当な、所定の周期でプレビュー画を記憶する。ここで、プレビュー画が表示入力部３に表示される周期と、プレビュー画がプレビュー画記憶部１０２に記憶される周期は同じであってもよいし、異なっていてもよい。
【００２６】
また、プレビュー画記憶部１０２がプレビュー画を記憶する際に、プレビュー画記憶部１０２の空き容量が不足している場合は、記憶されたプレビュー画のうち古いプレビュー画から順に消去して空き容量を確保してもよい。なお、プレビュー画記憶部１０２は、ＤＲＡＭ（Ｄｙｎａｍｉｃ  Ｒａｎｄｏｍ  Ａｃｃｅｓｓ  Ｍｅｍｏｒｙ）などの揮発性メモリで形成されてもよいし、フラッシュメモリ等の不揮発性メモリで形成されてもよい。さらに、プレビュー画記憶部１０２は、揮発性メモリと不揮発性メモリの両方で形成され、揮発性メモリの空き容量が不足した際に不揮発性メモリを使用するようにしてもよい。
【００２７】
予測画像生成部１０４は、撮像条件に対応する予測画像をプレビュー画より生成する。具体的には、予測画像生成部１０４は、プレビュー画記憶部１０２に記憶させたプレビュー画を読み出し、撮像条件に対応する予測画像を生成する。予測画像生成部１０４が予測画像を生成する方法については、＜２．表示制御装置の表示制御の形態＞以降にて具体的に説明するが、本開示の技術内容は後述する予測画像生成方法の具体例に限定されず、他の予測画像生成方法を用いても実現可能である。
【００２８】
表示制御部１０６は、撮像条件に対応する予測画像を該撮像条件との対応が表現されるように、表示する位置や状態を制御して表示させる。具体的には、表示制御部１０６は、予測画像生成部１０４が生成した予測画像を、対応する撮像条件に基づいた更新周期で更新したり、対応する撮像条件に基づいたエフェクト処理を施したりする。なお、表示制御部１０６が制御した予測画像の具体例については、＜２．表示制御装置の表示制御の形態＞以降にて説明する。
【００２９】
ここで、予測画像生成部１０４および表示制御部１０６は、複数の撮像条件に基づいて各予測画像を生成し、各予測画像を表示入力部３に表示させる構成であってもよい。係る場合、ユーザは、複数の撮像条件に基づいた予測画像を互いに比較して最適な撮像条件を検討することができるので、より好ましい。
【００３０】
表示入力部３は、撮像部５が撮像したプレビュー画を表示する。また、表示入力部３は、予測画像生成部１０４が生成した予測画像を表示制御部１０６の制御に基づいて、プレビュー画に重畳して表示する。ユーザは、表示入力部３に表示されるプレビュー画および予測画像を確認することで、最適な撮像条件を選択することができ、また、該撮像条件を用いて撮像を行うことができる。
【００３１】
設定反映部１１２は、ユーザが選択した予測画像に対応する撮像条件を、撮像時に使用する撮像条件に反映させる。具体的には、設定反映部１１２は、ユーザが表示入力部３に表示された予測画像の一つを選択した場合、ユーザが選択した予測画像に対応する撮像条件を撮像設定記憶部１１０に記憶させる。
【００３２】
撮像設定記憶部１１０は、撮像時に使用される撮像条件を記憶する。例えば、撮像設定記憶部１１０は、撮像に用いられるシャッター速度、絞り値、ＩＳＯ感度、ホワイトバランス等の撮像条件を記憶する。撮像部５は、撮像時に撮像設定記憶部１１０が記憶する撮像条件を読み出し、撮像を行う。撮像設定記憶部１１０が記憶する撮像条件は、設定反映部１１２により、ユーザが選択した予測画像に対応する撮像条件に変更されうる。また、撮像設定記憶部１１０は、あらかじめ汎用的な撮像条件を記憶しておいてもよい。
【００３３】
以上にて本開示の実施形態に係る表示制御装置１の構成について説明を行った。本開示の実施形態に係る表示制御装置１は、撮像条件に基づいて予測画像を生成し、該予測画像と撮像条件との対応が表現されるように、該予測画像の表示を制御する。係る構成によれば、ユーザは、表示された予測画像がどのような撮像条件で撮像されるかを直感的に理解することができるため、より適切な撮像条件を選択し撮像を行うことができる。
【００３４】
＜２．表示制御装置の表示制御の形態＞
続いて、以下では、本開示の実施形態に係る表示制御装置１の表示制御の形態について説明を行う。具体的には、第１の表示制御例については図３〜図６を参照して、第２の表示制御例については図７〜図１７を参照して、第３の表示制御例については図１８を参照して説明を行う。
【００３５】
[２．１．第１の表示制御例]
まず、図３〜図６を参照して本開示の実施形態に係る表示制御装置１の第１の表示制御例について説明を行う。第１の表示制御例において、予測画像生成部１０４は、撮像条件のひとつであるシャッター速度に基づいて予測画像の生成を行い、表示制御部１０６は、該シャッター速度に応じた更新周期で予測画像の表示を更新する。
【００３６】
係る構成により、表示制御装置１は、シャッター速度による撮像結果の違いを予測画像に加えて、予測画像の更新周期によっても表現することができる。すなわち、表示制御装置１は、シャッター速度の違いを、更新周期の違いというユーザが視覚的に認識しやすい形態でも表現することができる。よって、本開示の実施形態に係る表示制御装置１は、よりユーザに理解しやすいインターフェースを実現することができる。
【００３７】
（２．１．１．第１の表示制御例の動作）
以上の効果を有する第１の表示制御例について、以下で説明を行う。まず、予測画像生成部１０４が行う予測画像の生成方法について、図３を参照して説明する。図３は、予測画像生成部１０４がシャッター速度に基づいて予測画像を生成する方法を説明する説明図である。
【００３８】
図３に示すように、各シャッター速度に基づいた予測画像は、時間軸上で右端の予測画像生成時に対して、直近のプレビュー画を複数枚合成することで得られる。具体的には、シャッター速度に基づいた予測画像は、プレビュー画記憶部１０２に記憶された過去のプレビュー画をシャッター速度に応じた枚数分重ね合わせて合成することによって、生成される。ここで、プレビュー画保存周期は、対応するシャッター速度がプレビュー画保存周期の整数倍になるように設定される。
【００３９】
例えば、図３中段の通常シャッター速度の予測画像（通常シャッター速度プレビュー）は、４枚のプレビュー画を重ね合わせて合成することによって生成される。また、上段の高速シャッター速度の予測画像（高速シャッター速度プレビュー）は、通常シャッター速度プレビュー生成よりも少ない２枚のプレビュー画を合成して生成される。さらに、下段の低速シャッター速度の予測画像（低速シャッター速度プレビュー）は、通常シャッター速度プレビュー生成よりも多い８枚のプレビュー画を合成して生成される。ここで、高速シャッター速度、通常シャッター速度、および低速シャッター速度のシャッター速度比は、プレビュー画の合成枚数に対応して２：４：８となっている。
【００４０】
ここで、通常シャッター速度とは、例えば、現在の設定値として撮像設定記憶部１１０に設定されたシャッター速度である。具体的には、予測画像生成部１０４が予測画像を生成した際に、撮像部５がシャッター速度２秒で撮像するように撮像設定記憶部１１０に設定されていた場合、通常シャッター速度は２秒となる。係る場合、ユーザは現在の設定値のシャッター速度で撮像した場合の予測画像と、より高速のシャッター速度で撮像した場合の予測画像と、より低速のシャッター速度で撮像した場合の予測画像を並べて比較することができる。したがって、ユーザは現在の設定値からシャッター速度を変更した場合の効果をより理解しやすくなり、希望する撮像結果を得るための最適なシャッター速度を選択しやすくなる。
【００４１】
なお、上記の現在の設定値である通常シャッター速度が、例えば、撮像部５の実行可能な最も速いシャッター速度であった場合、予測画像生成部１０４は、より高速な高速シャッタープレビューを生成できない。係る場合、予測画像生成部１０４は予測画像に換えて「生成できない」旨を通知する画像を生成する。また、逆に、通常シャッター速度が撮像部５の実行可能な最も遅いシャッター速度であった場合の低速シャッタープレビューについても同様である。
【００４２】
次に、第１の表示制御例の動作について、図４を参照して説明する。図４は、第１の表示制御例の動作を説明するフローチャート図である。ここでは、特に第１の表示制御例で特徴的な予測画像生成および表示制御について、予測画像生成部１０４および表示制御部１０６の動作を中心に説明する。
【００４３】
図４に示すように、まず、予測画像生成部１０４は、撮像部５が取得したプレビュー画をプレビュー画記憶部１０２に保存させる（Ｓ１００）。次に、予測画像生成部１０４は、予測画像生成のために必要な枚数のプレビュー画がプレビュー画記憶部１０２に保存されたかを判断する（Ｓ１０２）。図３で示したように、シャッター速度に基づいた予測画像生成のためには、複数枚のプレビュー画が必要であるため、必要なプレビュー画が揃っていなければ（Ｓ１０２／Ｎｏ）、Ｓ１００にループし、予測画像生成部１０４は再度プレビュー画の保存を行う。ここで、必要なプレビュー画の枚数とは、予測画像生成に最も多くの枚数を必要とする低速シャッター速度プレビューの合成枚数である。例えば、図３において、予測画像生成部１０４が必要とするプレビュー画の枚数は８枚である。
【００４４】
予測画像生成のために必要な枚数のプレビュー画がプレビュー画記憶部１０２に保存されていれば（Ｓ１０２／Ｙｅｓ）、予測画像生成部１０４は、該プレビュー画を用いて、予測画像を生成する（Ｓ１０４）。さらに、予測画像生成部１０４は、生成した予測画像を表示制御部１０６に受け渡し（Ｓ１０６）、再度Ｓ１００にループし、予測画像生成を繰り返す。予測画像生成部１０４は、予測画像の表示終了まで、以上説明したＳ１００〜Ｓ１０６の動作をループして実行する。
【００４５】
次に、Ｓ１０６で予測画像生成部１０４より予測画像を受け渡された表示制御部１０６は、まず、受け渡された予測画像を受理する（Ｓ１０８）。そして、表示制御部１０６は、受理した予測画像を表示入力部３に表示させる（Ｓ１１０）。ここで、表示制御部１０６は、各予測画像に対応するシャッター速度に基づいた周期で、予測画像の各々の表示を更新する。すなわち、表示制御部１０６は、各予測画像に対応するシャッター速度に基づいた周期でそれぞれＳ１１０の動作をループして実行する。ここで、Ｓ１０６およびＳ１０８の予測画像の受け渡しは、随時行われてもよいし、表示制御部１０６の更新周期に合わせて行われてもよい。
【００４６】
（２．１．２．第１の表示制御例における表示の具体例）
さらに、以下では、図５および図６を参照して第１の表示制御例における表示の具体例について、説明を行う。図５は、第１の表示制御例における表示の具体例を示した説明図であり、図６は、第１の表示制御例における予測画像の更新周期を説明する説明図である。
【００４７】
図５に示すように、表示制御装置１の一面に形成された表示入力部３には、プレビュー画３００、高速シャッター速度プレビュー３０１、通常シャッター速度プレビュー３０３、低速シャッター速度プレビュー３０５、プレビュー停止ボタン３０７、およびプレビュー再開ボタン３０９が表示されている。
【００４８】
プレビュー画３００は、撮像部５が撮像している画像である。プレビュー画３００は撮像部５により取得され、表示入力部３に表示される。プレビュー画３００は、高速シャッター速度プレビュー３０１、通常シャッター速度プレビュー３０３、低速シャッター速度プレビュー３０５とは独立して、所定の周期で画像が更新される。また、高速シャッター速度プレビュー３０１、通常シャッター速度プレビュー３０３、および低速シャッター速度プレビュー３０５は、プレビュー画３００に重畳されて表示される。
【００４９】
図５に示すように、通常シャッター速度プレビュー３０３は、通常シャッター速度で撮像した場合の予測画像であり、シャッター速度が高速と低速の中間であるため、水滴がしずく型に歪んだ画像となっている。また、高速シャッター速度プレビュー３０１は、高速シャッター速度で撮像した場合の予測画像であり、シャッター速度が高速であるため、水滴が一瞬で停止したかのように円形の画像となっている。さらに、低速シャッター速度プレビュー３０５は、低速シャッター速度で撮像した場合の予測画像であり、シャッター速度が低速であるため、水滴が分離せずつながった形状の画像となっている。
【００５０】
ここで、ユーザは、各予測画像において撮像を希望する予測画像があれば、該予測画像を選択することにより、対応するシャッター速度を撮像設定に反映することができ、選択した予測画像に近い画像を撮像することができる。
【００５１】
ユーザがプレビュー停止ボタン３０７を選択した場合、表示制御部１０６は、高速シャッター速度プレビュー３０１、通常シャッター速度プレビュー３０３および低速シャッター速度プレビュー３０５の更新を停止させる。例えば、各予測画像の更新周期が短く、ユーザが予測画像の確認を行いにくい場合に、ユーザはプレビュー停止ボタン３０７を選択して表示制御部１０６に各予測画像の更新を停止させ、各予測画像を確認しやくすることができる。
【００５２】
ユーザがプレビュー再開ボタン３０９を選択した場合、表示制御部１０６は、更新を停止した高速シャッター速度プレビュー３０１、通常シャッター速度プレビュー３０３、低速シャッター速度プレビュー３０５の更新を再開させる。例えば、別の被写体を撮像する際に、改めて予測画像を確認したい場合、ユーザは、プレビュー再開ボタン３０９を選択して表示制御部１０６に更新を停止した各予測画像の更新を再開させることができる。
【００５３】
ここで、上記では、表示制御部１０６は、プレビュー停止ボタン３０７が選択された場合に各予測画像の更新を停止し、プレビュー再開ボタン３０９が選択された場合に各予測画像の更新を再開させるとしたが、本開示の技術内容は係る例示に限定されない。例えば、表示制御部１０６は、プレビュー停止ボタン３０７を選択された場合に各予測画像を表示入力部３より消去し、プレビュー再開ボタン３０９を選択された場合に消去した各予測画像を表示入力部３に再表示するようにしてもよい。係る構成によれば、ユーザはプレビュー画３００に重畳された各予測画像を消去することができるので、ユーザはプレビュー画３００の重畳された予測画像により隠れていた部分についても確認することができる。
【００５４】
続いて、図６を参照して、高速シャッター速度プレビュー３０１、通常シャッター速度プレビュー３０３および低速シャッター速度プレビュー３０５の更新周期について、説明を行う。
【００５５】
図６では、横軸に時間軸を取り、それぞれのシャッター速度に基づく予測画像を各予測画像が更新されるタイミングに配置した。ここで、時間軸における「Ａ」「Ｂ」間、「Ｂ」「Ｃ」間、「Ｃ」「Ｄ」間、「Ｄ」「Ｅ」間の間隔は「Ｔ」である。図６に示すように、高速シャッター速度プレビュー３０１は、「Ａ」、「Ｂ」、「Ｃ」、「Ｄ」および「Ｅ」の時点で更新され、更新周期は「Ｔ」である。また、通常シャッター速度プレビュー３０３は、「Ａ」、「Ｃ」および「Ｅ」の時点で更新され、更新周期は「２Ｔ」である。さらに、低速シャッター速度プレビュー３０５は、「Ａ」および「Ｅ」の時点で更新され、更新周期は「４Ｔ」である。すなわち、表示制御部１０６は、シャッター速度が高速であるほど、短い更新周期で更新を行う。また、各予測画像の更新周期の比は、それぞれのシャッター速度の比に対応した値となっている。ここで、「Ｔ」の時間は、任意に定めることができ、例えば「Ｔ」の時間は、２秒、４秒、６秒等である。
【００５６】
以上説明したように、第１の表示制御例を行う表示制御装置１は、シャッター速度の違いによる撮像結果の違いを予測画像の更新周期の違いによっても表現することができる。また、表示制御装置１は、各シャッター速度が異なる予測画像を同一の画面に並べて表示することができるため、それぞれのシャッター速度における手振れ量の強弱や撮像結果の変化をユーザが比較しやすいように表示することができる。さらに、表示された予測画像の中でユーザが希望する撮像結果を得られるシャッター速度が存在する場合、ユーザは該予測画像を選択することによって、対応するシャッター速度を撮像部５に反映させることができる。
【００５７】
[２．２．第２の表示制御例]
次に、図７〜図１７を参照して本開示の実施形態に係る表示制御装置１の第２の表示制御例について説明を行う。第２の表示制御例において、予測画像生成部１０４は、各撮像条件に基づいて予測画像の生成を行い、表示制御部１０６は、該予測画像に対して撮像条件に応じたエフェクト処理を施す。ここで、撮像条件としては、シャッター速度、絞り値、ＩＳＯ感度、ホワイトバランス等を例示することができる。
【００５８】
係る構成により、表示制御装置１は、予測画像に対応した撮像条件に基づいたエフェクト処理によって、各撮像条件による撮像結果の違いを強調して表現することができる。また、表示制御装置１は、視覚的に認識しやすく、理解しやすいエフェクトと撮像条件を対応させて表現することができるため、技術に詳しくないユーザであっても直感的に撮像条件を理解することを容易にしている。
【００５９】
（２．２．１．第２の表示制御例の動作）
以上の効果を有する第２の表示制御例について、以下で説明を行う。まず、予測画像生成部１０４が行う撮像条件に基づいた予測画像の生成方法について、撮像条件ごとに図７〜９を参照して説明する。ただし、シャッター速度に基づく予測画像の生成方法については、図３を参照して説明したとおりであるので、ここでの説明は省略する。
【００６０】
まず、図７を参照して、絞り値に基づく予測画像の生成方法について説明を行う。図７は、予測画像生成部１０４が絞り値に基づいて予測画像を生成する方法を説明する説明図である。
【００６１】
図７に示すように、絞り値に基づく予測画像は、プレビュー画３００を最も絞り値が大きい設定で取得された画像であるとし、絞り値が小さい程、プレビュー画３００にぼかし処理を行うことで生成される。具体的には、まず、予測画像生成部１０４は、センサ等を利用してプレビュー画３００の距離情報を取得し、背景（または前景）となるエリアを判断する。ここで、プレビュー画３００の距離情報が不明である場合は、予測画像生成部１０４はフォーカスが合っているフォーカスポイントの周辺以外を背景（または前景）と判断する。ここで、図７においては、予測画像生成部１０４は、手前の花をフォーカスポイントと判断した。次に、予測画像生成部１０４は、フォーカスポイントと異なる距離情報を有するエリアおよび背景（または前景）エリアに絞り値と距離情報に基づいた量のぼかし処理を行う。
【００６２】
ここで、絞り値と距離情報に基づくぼかし量は、あらかじめ算出して表示制御装置１に記憶させておくことが望ましい。また、上記のぼかし処理に加えて、予測画像生成部１０４は予測画像に明暗を付けることによって、さらに予測画像の再現度を向上させてもよい。なお、予測画像生成部１０４が予測画像生成の際に使用する画像は、プレビュー画３００に限定されず、プレビュー画３００を複数枚合成した画像であってもよい。
【００６３】
図７において、通常絞り値プレビュー３２３は絞り値が通常の設定であるため、プレビュー画３００に対して、フォーカスポイントである花以外には、設定どおりの量のぼかし処理が施されている。また、大絞り値プレビュー３２１は絞り値が大きいため、プレビュー画３００に対してより小さな量のぼかし処理が施されており、通常絞り値プレビュー３２３よりも鮮明な画像となっている。さらに、小絞り値プレビュー３２５は絞り値が小さいため、プレビュー画３００に対して、フォーカスポイントである花以外はより大きな量のぼかし処理が施されており、通常絞り値プレビュー３２３よりもぼけた画像となっている。
【００６４】
ここで、通常の絞り値とは、例えば、現在の設定値として撮像設定記憶部１１０に設定された絞り値である。上記の予測画像が表示入力部３に表示された場合、ユーザは現在の設定値の絞り値で撮像した場合の予測画像と、より大絞り値で撮像した場合の予測画像と、より小絞り値で撮像した場合の予測画像を互いに比較することができる。
【００６５】
なお、上記の現在の設定値である通常の絞り値が、例えば、撮像部５の実行可能な最大の絞り値であった場合、予測画像生成部１０４は、より大きな大絞り値プレビュー３２１を生成できない。係る場合、予測画像生成部１０４は予測画像に換えて「生成できない」旨を通知する画像を生成する。また、逆に、通常の絞り値が撮像部５の実行可能な最小の絞り値であった場合の小絞り値プレビュー３２５についても同様である。
【００６６】
次に、図８を参照して、ＩＳＯ感度に基づく予測画像の生成方法について説明を行う。図８は、予測画像生成部１０４がＩＳＯ感度に基づいて予測画像を生成する方法を説明する説明図である。
【００６７】
図８に示すように、ＩＳＯ感度に基づく予測画像は、プレビュー画３００を最も低いＩＳＯ感度で取得された高精細な画像であるとし、ＩＳＯ感度が高い程、プレビュー画３００に画像を粗くする画像粗れフィルタをかけることで生成される。画像粗れフィルタは、ＩＳＯ感度ごとにあらかじめ表示制御装置１に記憶させておくことが望ましい。また、予測画像生成部１０４は、画像粗れフィルタに替えてプレビュー画３００の解像度を低下させる画像処理アルゴリズムを用いて予測画像を生成してもよい。さらに、上記の画像粗れフィルタに加えて、予測画像生成部１０４は予測画像に明暗を付けることによって、さらに予測画像の再現度を向上させてもよい。なお、予測画像生成部１０４が予測画像生成の際に使用する画像は、プレビュー画３００に限定されず、プレビュー画３００を複数枚合成した画像であってもよい。
【００６８】
図８において、通常ＩＳＯ感度プレビュー３３３はＩＳＯ感度が通常の設定であるため、プレビュー画３００に対して、設定どおりの画像粗れである予測画像となっている。また、低ＩＳＯ感度プレビュー３３１はＩＳＯ感度が低いため、画像粗れの程度が小さく、通常ＩＳＯ感度プレビュー３３３よりも高精細な画像となっている。さらに、高ＩＳＯ感度プレビュー３３５はＩＳＯ感度が高いため、画像粗れの程度が大きく、通常ＩＳＯ感度プレビュー３３３よりも粗い画像となっている。
【００６９】
ここで、通常ＩＳＯ感度とは、例えば、現在の設定値として撮像設定記憶部１１０に設定されたＩＳＯ感度である。上記の予測画像が表示入力部３に表示された場合、ユーザは現在の設定値のＩＳＯ感度で撮像した場合の予測画像と、より低いＩＳＯ感度で撮像した場合の予測画像と、より高いＩＳＯ感度で撮像した場合の予測画像を互いに比較することができる。
【００７０】
なお、上記の現在の設定値である通常ＩＳＯ感度が、例えば、撮像部５において実行可能な最も低感度のＩＳＯ感度であった場合、予測画像生成部１０４は、より低感度な低ＩＳＯ感度プレビュー３３１を生成できない。係る場合、予測画像生成部１０４は予測画像に換えて「生成できない」旨を通知する画像を生成する。また、逆に、通常ＩＳＯ感度が撮像部５において実行可能な最も高感度のＩＳＯ感度であった場合の高ＩＳＯ感度プレビュー３３５についても同様である。
【００７１】
さらに、図９を参照して、ホワイトバランスに基づく予測画像の生成方法について説明を行う。図９は、予測画像生成部１０４がホワイトバランスに基づいて予測画像を生成する方法を説明する説明図である。
【００７２】
図９に示すように、ホワイトバランスに基づく予測画像は、プレビュー画３００を最適なホワイトバランスの画像であるとし、ホワイトバランス（色温度）に基づいて色味を変化させる色透過フィルタ処理を行うことで生成される。色味を変化させる色透過フィルタはホワイトバランス（色温度）ごとにあらかじめ表示制御装置１に記憶させておくことが望ましい。また、予測画像生成部１０４は、色透過フィルタに替えてプレビュー画３００の色味を変化させる画像処理アルゴリズムを用いて予測画像を生成してもよい。なお、予測画像生成部１０４が予測画像生成の際に使用する画像はプレビュー画３００に限定されず、プレビュー画３００を複数枚合成した画像であってもよい。
【００７３】
図９において、通常色温度プレビュー３４３は通常のホワイトバランスであるため、プレビュー画３００を予測画像として用いる。また、低色温度プレビュー３４１は色温度が低いホワイトバランスであるため、プレビュー画３００に対して赤み（図９では、ドットハッチングで表現した）をかける赤色透過フィルタで処理されて生成される。さらに、高色温度プレビュー３４５は色温度が高いホワイトバランスであるため、プレビュー画３００に対して青み（図９では、斜めハッチングで表現した）をかける青色透過フィルタで処理されて生成される。
【００７４】
ここで、通常のホワイトバランスとは、例えば、現在の設定値として撮像設定記憶部１１０に設定されたホワイトバランスである。上記の予測画像が表示入力部３に表示された場合、ユーザは現在の設定値のホワイトバランスで撮像した場合の予測画像と、より低い色温度のホワイトバランスで撮像した場合の予測画像と、より高い色温度のホワイトバランスで撮像した場合の予測画像を互いに比較することができる。
【００７５】
なお、上記の現在の設定値である通常のホワイトバランスが、例えば、撮像部５において実行可能な最も低い色温度のホワイトバランスであった場合、予測画像生成部１０４は、さらに低い色温度である低色温度プレビュー３４１を生成できない。係る場合、予測画像生成部１０４は予測画像に換えて「生成できない」旨を通知する画像を生成する。また、逆に、通常のホワイトバランスが撮像部５において実行可能な最も高い色温度のホワイトバランスであった場合の高色温度プレビュー３４５についても同様である。
【００７６】
次に、第２の表示制御例の動作について、図１０を参照して説明する。図１０は、第２の表示制御例の動作を説明するフローチャート図である。ここでは、第１の表示制御例と同様に、予測画像生成部１０４および表示制御部１０６の動作を中心に説明する。
【００７７】
図１０に示すように、まず、予測画像生成部１０４は、撮像部５が取得したプレビュー画をプレビュー画記憶部１０２に保存させる（Ｓ１００）。次に、予測画像生成部１０４は、予測画像を生成する撮像条件を決定する（Ｓ１１２）。予測画像生成に用いられる撮像条件としては、上述したように例えば、シャッター速度、絞り値、ＩＳＯ感度およびホワイトバランス等が例示される。さらに、予測画像生成部１０４は、該プレビュー画を用いて、予測画像を生成する（Ｓ１０４）。次に、予測画像生成部１０４は、生成した予測画像を表示制御部１０６に受け渡し（Ｓ１０６）、再度Ｓ１００にループし、予測画像生成を繰り返す。予測画像生成部１０４は、予測画像の表示終了まで、以上で説明したＳ１００、Ｓ１１２、Ｓ１０４およびＳ１０６の動作をループして実行する。
【００７８】
次に、Ｓ１０６で予測画像生成部１０４より予測画像を受け渡された表示制御部１０６は、まず、受け渡された予測画像を受理する（Ｓ１０８）。そして、表示制御部１０６は、受理した予測画像に撮像条件に対応するエフェクト処理を行い（Ｓ１１４）、表示制御部１０６は、エフェクト処理された予測画像を表示入力部３に表示させる（Ｓ１１０）。ここで、表示制御部１０６は、予測画像の表示終了まで所定の更新周期でＳ１１４およびＳ１１０の動作をループして実行する。なお、Ｓ１０６およびＳ１０８の予測画像の受け渡しは、随時行われてもよいし、表示制御部１０６の更新周期に合わせて行われてもよい。
【００７９】
ここで、図１０においては、プレビュー画を１枚のみ使用して予測画像を生成する場合
を説明したが、本開示の技術内容は係る構成に限定されない。例えば、プレビュー画を複数枚使用して予測画像を生成する場合は、上記のＳ１００に替えて、Ｓ１００およびＳ１０２を行い、複数枚のプレビュー画を保存した後にＳ１１２以降の動作を行う。
【００８０】
（２．２．２．第２の表示制御例における表示の具体例）
引き続き、図１１〜図１７を参照して第２の表示制御例における表示の具体例について、説明を行う。まず、図１１〜図１４を参照して撮像条件にシャッター速度を用いた場合の表示の具体例について、説明する。図１１は、第２の表示制御例において撮像条件にシャッター速度を用いた場合の表示の具体例を示した説明図である。
【００８１】
図１１に示すように、表示制御装置１の一面に形成された表示入力部３には、プレビュー画３００、高速シャッター速度プレビュー３１１、通常シャッター速度プレビュー３１３、低速シャッター速度プレビュー３１５、プレビュー停止ボタン３０７、およびプレビュー再開ボタン３０９が表示されている。なお、高速シャッター速度プレビュー３１１、通常シャッター速度プレビュー３１３、および低速シャッター速度プレビュー３１５の構成および生成方法については、図３を参照した説明と同様であるので、ここでの説明は省略する。また、プレビュー画３００については第１の表示制御例と同様であるので、ここでの詳細な説明は省略する。
【００８２】
第２の表示制御例において、高速シャッター速度プレビュー３１１、通常シャッター速度プレビュー３１３、および低速シャッター速度プレビュー３１５は、プレビュー画３００の左端から右端へ移動するエフェクト処理が施されて表示される。ここで、各予測画像の移動速度は、それぞれの予測画像のシャッター速度に対応した速さであり、図１１において各予測画像の左に位置する矢印は、所定の時間における各予測画像の移動量を表している。すなわち、図１１では、高速シャッター速度プレビュー３１１が最も高速で移動するエフェクト処理が施され、通常シャッター速度プレビュー３１３、低速シャッター速度プレビュー３１５の順で移動速度が遅くなる。したがって、表示制御装置１は、各予測画像を移動させるエフェクト処理を行うことにより、撮像条件であるシャッター速度を各予測画像の移動速度に対応させて表現することができる。
【００８３】
なお、各予測画像へのエフェクトは、プレビュー画３００の左端から右端へ一度だけ移動させるエフェクトであってもよい。また、各予測画像へのエフェクトは、各予測画像をプレビュー画３００の左端から右端へ移動させた後、再びプレビュー画３００の左端から右端へ移動させるエフェクトであってもよい。さらに、各予測画像へのエフェクトは、各予測画像をプレビュー画３００の左端から右端へ移動させた後、プレビュー画３００の右端から左端へ移動させ、プレビュー画３００上を往復移動させるエフェクトであってもよい。なお、各予測画像に施すエフェクトにおける各予測画像の移動方向についてもプレビュー画３００に対して正対した際の横方向に限定されず、縦方向、斜め方向等、多様な方向であってもよい。
【００８４】
さらに、表示制御部１０６が施す各予測画像へのエフェクトは、それぞればらばらの周期であってもよい。また、表示制御部１０６は、一周期ごとにプレビュー画３００上の所定の位置（例えば、左端等）で各予測画像が一時停止させ、エフェクトの周期をそろえるようにしてもよい。さらに、表示制御部１０６は各予測画像に対して一つずつ順番にエフェクト処理を施してもよい。
【００８５】
ユーザがプレビュー停止ボタン３０７を選択した場合、表示制御部１０６は、各予測画像へのエフェクト処理を停止する。例えば、各予測画像に施されたエフェクト処理により、ユーザが予測画像の確認を行いにくい場合、ユーザはプレビュー停止ボタン３０７を選択して、表示制御部１０６によるエフェクト処理を停止させ、各予測画像を確認しやすくすることができる。また、ユーザがプレビュー再開ボタン３０９を選択した場合、表示制御部１０６は、停止した各予測画像へのエフェクト処理を再開することができる。
【００８６】
図１２は、図１１において、ユーザがプレビュー停止ボタン３０７を選択した場合の表示制御装置１の表示の具体例を示した説明図である。図１２において、高速シャッター速度プレビュー３１１、通常シャッター速度プレビュー３１３、および低速シャッター速度プレビュー３１５の各予測画像は、プレビュー画３００の左端に整列しており、プレビュー画３００上を移動するエフェクト処理が停止している。ここで、表示制御部１０６が各予測画像を停止させる位置は、プレビュー画３００の左端に限定されない。表示制御部１０６は、プレビュー停止ボタン３０７が選択されたときに表示されていた位置で、各予想画像を停止させてもよい。
【００８７】
なお、上記では、表示制御部１０６は、プレビュー停止ボタン３０７が選択された場合に各予測画像のエフェクト処理を停止し、プレビュー再開ボタン３０９が選択された場合に停止したエフェクト処理を再開するとしたが、本開示の技術内容は係る例示に限定されない。例えば、表示制御部１０６は、プレビュー停止ボタン３０７を選択された場合に各予測画像を表示入力部３より消去し、プレビュー再開ボタン３０９を選択された場合に消去した各予測画像を表示入力部３に再表示するようにしてもよい。係る構成によれば、ユーザはプレビュー画３００に重畳された各予測画像を消去することができるので、ユーザはプレビュー画３００の重畳された予測画像により隠れていた部分についても確認することができる。
【００８８】
次に、第２の表示制御例において撮像条件にシャッター速度を用いた場合のエフェクト処理の変形例について、図１３および図１４を参照して説明を行う。図１３は、エフェクト処理の第１の変形例を示した説明図であり、図１４はエフェクト処理の第２の変形例を示した説明図である。
【００８９】
まず、図１３に示すようにエフェクト処理の第１の変形例では、図１１で説明した各予測画像が移動するエフェクトに替えて、各予測画像が点滅するエフェクトが表示制御部１０６により行われる。図１３に示すように、図１１と同様にプレビュー画３００上に、高速シャッター速度プレビュー３１１、通常シャッター速度プレビュー３１３、および低速シャッター速度プレビュー３１５が表示され、各予測画像は点滅するエフェクト処理が施される。ここで、各予測画像の点滅間隔が各予測画像のシャッター速度に対応した間隔になっており、シャッター速度が高速な予測画像ほど点滅間隔が短い。
【００９０】
すなわち、表示制御部１０６は、高速シャッター速度プレビュー３１１に最も短い間隔で点滅するエフェクト処理を施し、通常シャッター速度プレビュー３１３、低速シャッター速度プレビュー３１５の順で点滅間隔が長くなるエフェクト処理を施している。したがって、表示制御装置１は、各予測画像を点滅させるエフェクト処理を行うことにより、シャッター速度を各予測画像の点滅間隔と対応させて表現することができる。なお、表示制御部１０６は、各予測画像に一斉に点滅させるようなエフェクト処理を施してもよいし、各予測画像を一つずつ順番に点滅させるようなエフェクト処理を施してもよい。
【００９１】
次に、図１４に示すようにエフェクト処理の第２の変形例では、図１１で説明した各予測画像が移動するエフェクト処理に替えて、各予測画像がフェードイン・フェードアウトするエフェクト処理が行われる。図１４では、横軸に時間軸を取り、各予測画像のフェードイン・フェードアウトを予測画像の濃淡にて表し、フェードイン・フェードアウト周期を表した。図１４に示すように、「ａ」「ｂ」間および「ｂ」「ｃ」間の時間は「ｔ」である。具体的には、高速シャッター速度プレビュー３１１は、「ａ」から「ｂ」にてフェードイン・フェードアウトを行っているので、フェードイン・フェードアウト周期は「ｔ」である。また、通常シャッター速度プレビュー３１３は、「ａ」から「ｃ」にてフェードイン・フェードアウトを行っているので、フェードイン・フェードアウト周期は「２ｔ」である。さらに、低速シャッター速度プレビュー３１５は、「ａ」から「ｃ」にてフェードインを行っているので、フェードイン・フェードアウト周期は「４ｔ」である。
【００９２】
すなわち、各予測画像のフェードイン・フェードアウト周期は各予測画像のシャッター速度に対応した長さになっており、シャッター速度が高速な予測画像ほどフェードイン・フェードアウト周期が短くなっている。高速シャッター速度プレビュー３１１は最も短い周期でフェードイン・フェードアウトするエフェクト処理が施され、通常シャッター速度プレビュー３１３、低速シャッター速度プレビュー３１５の順でフェードイン・フェードアウト周期が長くなっている。したがって、表示制御装置１は、各予測画像をフェードイン・フェードアウトさせるエフェクト処理を行うことにより、シャッター速度と各予測画像のフェードイン・フェードアウト周期とを対応させて表現することができる。
【００９３】
なお、図１３および図１４にて説明したエフェクト処理の変形例についても、図１１にて説明したエフェクト処理同様に、ユーザがプレビュー停止ボタン３０７およびプレビュー再開ボタン３０９を選択した場合、表示制御部１０６はエフェクト処理の停止および再開を行うことは言うまでもない。また、表示制御部１０６は、プレビュー停止ボタン３０７およびプレビュー再開ボタン３０９が選択された場合、エフェクト処理の停止および再開に替えて、各予測画像の消去および再表示を行ってもよい。
【００９４】
次に、図１５を参照して、撮像条件に絞り値を用いた場合の表示の具体例について、説明する。図１５は、第２の表示制御例において撮像条件に絞り値を用いた場合の表示の具体例を示した説明図である。
【００９５】
図１５に示すように、表示制御装置１の一面に形成された表示入力部３には、プレビュー画３００、大絞り値プレビュー３２１、通常絞り値プレビュー３２３、小絞り値プレビュー３２５、プレビュー停止ボタン３０７、およびプレビュー再開ボタン３０９が表示されている。なお、プレビュー画３００、プレビュー停止ボタン３０７、およびプレビュー再開ボタン３０９については、図１１を参照して説明した構成と実質的に同様であるので、ここでの詳細な説明は省略する。
【００９６】
大絞り値プレビュー３２１は、大絞り値で撮像した場合の予測画像であり、通常絞り値プレビュー３２３は、通常絞り値で撮像した場合の予測画像であり、小絞り値プレビュー３２５は、小絞り値で撮像した場合の予測画像である。ここで、各予測画像は、図７を参照して説明した生成方法にて、表示制御部１０６により生成されている。
【００９７】
図１５で示した表示の具体例において、表示制御部１０６は、各予測画像にフォーカスポイントである花を中心とした円の外の周縁を黒く覆うエフェクト処理を施している。ここで、各予測画像において、黒く覆われる範囲は、それぞれの予測画像の絞り値に対応した大きさになっている。すなわち、図１５では、大絞り値プレビュー３２１が最も大きな範囲が黒く覆われるエフェクト処理が施されており、通常絞り値プレビュー３２３、小絞り値プレビュー３２５の順で黒く覆われる範囲が小さくなっている。
【００９８】
したがって、表示制御装置１は、各予測画像の周縁を黒く覆うエフェクト処理を施すことにより、絞り値と各予測画像の黒く覆われる範囲とを対応させて表現することができる。
【００９９】
ここで、図１５に示した具体例では、表示制御部１０６は、各予測画像において、フォーカスポイントである花を中心とした円の外の周縁を黒く覆ったが、本開示の技術内容は係る例示に限定されない。例えば、表示制御部１０６は、各予測画像において、予測画像の中央を中心とした円の外の周縁を黒く覆ってもよい。しかしながら、フォーカスポイントが予測画像の周縁に存在した場合、予測画像中央を中心とした円以外の周縁を黒く覆うと、フォーカスポイントを黒く覆ってしまい、予測画像の視認性を悪化させる可能性がある。よって、フォーカスポイントを中心とした円の外の周縁を黒く覆うようにする方がより予測画像の視認性を良好に保つことができるため好ましい。
【０１００】
続いて、図１６を参照して、撮像条件にＩＳＯ感度を用いた場合の表示の具体例について、説明する。図１６は、第２の表示制御例において、撮像条件にＩＳＯ感度を用いた場合の表示の具体例を示した説明図である。
【０１０１】
図１６に示すように、表示制御装置１の一面に形成された表示入力部３には、プレビュー画３００、低ＩＳＯ感度プレビュー３３１、通常ＩＳＯ感度プレビュー３３３、高ＩＳＯ感度プレビュー３３５、プレビュー停止ボタン３０７、およびプレビュー再開ボタン３０９が表示されている。なお、プレビュー画３００、プレビュー停止ボタン３０７、およびプレビュー再開ボタン３０９については、図１１を参照して説明した構成と実質的に同様であるので、ここでの詳細な説明は省略する。
【０１０２】
低ＩＳＯ感度プレビュー３３１は、低ＩＳＯ感度で撮像した場合の予測画像であり、通常ＩＳＯ感度プレビュー３３３は、通常ＩＳＯ感度で撮像した場合の予測画像であり、高ＩＳＯ感度プレビュー３３５は、高ＩＳＯ感度で撮像した場合の予測画像である。ここで、各予測画像は、図８を参照して説明した生成方法にて、表示制御部１０６により生成されている。
【０１０３】
図１６で示した表示の具体例において、表示制御部１０６は、各予測画像に六角形の枠画像を重畳するエフェクト処理を施している。ここで、各予測画像に重畳される枠画像の枠の大きさおよび枠線の太さがそれぞれの予測画像のＩＳＯ感度に対応している。すなわち、図１６では、低ＩＳＯ感度プレビュー３３１は、７×７の枠画像が重畳されており、通常ＩＳＯ感度プレビュー３３３は、５×５の枠画像が重畳されており、高ＩＳＯ感度プレビュー３３５は３×３の枠画像が重畳されている。また、枠画像の枠線の太さも、低ＩＳＯ感度プレビュー３３１、通常ＩＳＯ感度プレビュー３３３、高ＩＳＯ感度プレビュー３３５の順で太くなっている。
【０１０４】
したがって、表示制御装置１は、各予測画像に枠画像を重畳するエフェクト処理を行うことにより、ＩＳＯ感度と、各予測画像に重畳される六角形の枠画像の枠の粗さおよび枠線の太さとを対応させて表現することができる。
【０１０５】
ここで、図１６で示した表示の具体例では、表示制御部１０６は、各予測画像に重畳される枠画像の枠の粗さおよび枠線の太さの両方をＩＳＯ感度に対応させて変化させるエフェクト処理を施したが、本開示の技術内容は係る例示に限定されない。各予測画像に重畳される枠画像は、枠の粗さだけＩＳＯ感度に対応させて変化するようにしてもよいし、枠線の太さだけＩＳＯ感度に対応させて変化するようにしてもよい。
【０１０６】
さらに、図１７を参照して、撮像条件にホワイトバランスを用いた場合の表示の具体例について、説明する。図１７は、第２の表示制御例において、撮像条件にホワイトバランスを用いた場合の表示の具体例を示した説明図である。
【０１０７】
図１７に示すように、表示制御装置１の一面に形成された表示入力部３には、プレビュー画３００、低色温度プレビュー３４１、通常色温度プレビュー３４３、高色温度プレビュー３４５、プレビュー停止ボタン３０７、およびプレビュー再開ボタン３０９が表示されている。なお、プレビュー画３００、プレビュー停止ボタン３０７、およびプレビュー再開ボタン３０９については、図１１を参照して説明した構成と実質的に同様であるので、ここでの詳細な説明は省略する。
【０１０８】
低色温度プレビュー３４１は、低色温度設定にて撮像した場合の予測画像であり、通常色温度プレビュー３４３は、通常色温度設定で撮像した場合の予測画像であり、高色温度プレビュー３４５は、高色温度設定で撮像した場合の予測画像である。ここで、各予測画像は、図９を参照して説明した生成方法にて、生成されている。
【０１０９】
図１７で示した表示の具体例において、表示制御部１０６は、各予測画像に縁枠画像を重畳されたエフェクト処理を施している。ここで、各予測画像に重畳される縁枠画像の色は、ホワイトバランスに対応した色（図１７においてはハッチング）となっている。具体的には、予測画像生成の際に用いた色透過フィルタの色の縁枠画像が重畳される。すなわち、図１７では、低色温度プレビュー３４１は、赤色の縁枠画像が重畳されており、通常色温度プレビュー３４３は、白色の縁枠画像が重畳されており、高色温度プレビュー３４５は、青色の縁枠画像が重畳されている。
【０１１０】
したがって、表示制御装置１は、各予測画像にホワイトバランスに対応した色の縁枠画像を重畳するエフェクト処理を行うことにより、各予測画像の色味と縁枠画像の色とを対応させて表現することができる。
【０１１１】
以上説明したように、第２の表示制御例を行う表示制御装置１は、各撮像条件の違いによる撮像結果の違いを予測画像に施すエフェクト処理によって強調して表現することができる。よって、表示制御装置１は、撮像条件をユーザがより理解しやすいエフェクトにて表現することができるため、技術に詳しくないユーザであっても撮像条件を直感的に理解することを容易にする。さらに、表示された予測画像の中でユーザが希望する撮像結果を得られる撮像条件が存在する場合、ユーザは該予測画像を選択することによって、対応する撮像条件を撮像部５に反映させることができる。
【０１１２】
［２．３．第３の表示制御例］
続いて、図１８を参照して本開示の実施形態に係る表示制御装置１の第３の表示制御例について説明を行う。第３の表示制御例において、予測画像生成部１０４は、各シャッター速度に基づいて予測画像の生成を行う。また、表示制御部１０６は、該予測画像に対して、各シャッター速度に応じたエフェクト処理を行い、各シャッター速度に応じた更新周期で該予測画像の更新を行う。すなわち、第３の表示制御例においては、表示制御装置１は、第１の表示制御例と第２の表示制御例とを組み合わせた表示制御を行う。
【０１１３】
係る構成により、表示制御装置１は、各シャッター速度による撮像結果の違いを予測画像、シャッター速度に基づいたエフェクト、および該予測画像の更新周期によって表現することができる。また、表示制御装置１は、各予測画像に施されるエフェクト処理の周期と、該予測画像の更新周期を対応させることによって、エフェクト処理が施された予測画像をユーザに見やすく表示することができる。
【０１１４】
（２．３．１．第３の表示制御例の動作）
以上の効果を有する第３の表示制御例について、図１８を参照して説明を行う。なお、シャッター速度に基づいた予測画像の生成方法については、図３を参照して説明したとおりであるので、ここでの詳細な説明は省略する。図１８は、第３の表示制御例の動作を説明するフローチャート図である。以下では、第１および第２の表示制御例と同様に、予測画像生成部１０４および表示制御部１０６の動作を中心に説明する。
【０１１５】
図１８に示すように、まず、予測画像生成部１０４は、撮像部５が取得したプレビュー画をプレビュー画記憶部１０２に保存させる（Ｓ１００）。次に、予測画像生成部１０４は、予測画像生成のために必要な枚数のプレビュー画がプレビュー画記憶部１０２に保存されたかを判断する（Ｓ１０２）。必要な枚数のプレビュー画が揃っていなければ（Ｓ１０２／Ｎｏ）、Ｓ１００にループし、予測画像生成部１０４は、再度プレビュー画の保存を行う。
【０１１６】
予測画像生成のために必要な枚数のプレビュー画がプレビュー画記憶部１０２に保存されていれば（Ｓ１０２／Ｙｅｓ）、予測画像生成部１０４は、該プレビュー画を用いて、予測画像を生成する（Ｓ１０４）。次に、予測画像生成部１０４は、生成した予測画像を表示制御部１０６に受け渡し（Ｓ１０６）、再度Ｓ１００にループし、予測画像生成を繰り返す。予測画像生成部１０４は、予測画像の表示終了まで、以上で説明したＳ１００〜Ｓ１０６の動作をループして実行する。
【０１１７】
次に、図１０で示すように、Ｓ１０６で予測画像生成部１０４より予測画像を受け渡された表示制御部１０６は、まず、受け渡された予測画像を受理する（Ｓ１０８）。そして、表示制御部１０６は受理した予測画像に、シャッター速度に対応するエフェクト処理を行い（Ｓ１１４）、エフェクト処理された予測画像を表示入力部３に表示させる（Ｓ１１０）。ここで、表示制御部１０６は、各予測画像に対応するシャッター速度に基づいた周期で、予測画像の各々の表示を更新する。すなわち、表示制御部１０６は、各予測画像に対応するシャッター速度に基づいた周期でそれぞれＳ１１０の動作をループして実行する。ここで、Ｓ１０６およびＳ１０８の予測画像の受け渡しは、随時行われてもよいし、表示制御部１０６の更新周期に合わせて行われてもよい。
【０１１８】
以上で説明した、第３の表示制御例の表示の具体例としては以下の例が挙げられる。すなわち、図１１で説明したシャッター速度に応じた移動速度で各予測画像がプレビュー画３００の左端から右端へループして繰り返し移動するエフェクト処理が行われる場合であって、各予測画像が右端に達した際に予測画像の更新が行われる場合である。
【０１１９】
係る場合、各予測画像に施されたエフェクト処理の周期と、予測画像の更新周期が一致するので、表示制御装置１は、エフェクト処理が施された予測画像をユーザにより見やすく表示することができる。さらに、表示された予測画像の中でユーザが希望する撮像結果を得られるシャッター速度が存在する場合、ユーザは該予測画像を選択することによって、対応するシャッター速度を撮像部５に反映させることができる。
【０１２０】
＜３．表示制御装置のハードウェア構成＞
以上にて、本開示の実施形態を詳細に説明した。上述した表示制御装置１による情報処理は、ソフトウェアと、以下で図１９を参照して説明する表示制御装置１のハードウェアとの協働によって実現される。
【０１２１】
図１９は、表示制御装置１のハードウェア構成を示した説明図である。図１９に示すように、表示制御装置１は、ＣＰＵ（Ｃｅｎｔｒａｌ  Ｐｒｏｃｅｓｓｉｎｇ  Ｕｎｉｔ）
１５０と、ＲＯＭ（Ｒｅａｄ  Ｏｎｌｙ  Ｍｅｍｏｒｙ）１５２と、ＲＡＭ（Ｒａｎｄｏｍ  Ａｃｃｅｓｓ  Ｍｅｍｏｒｙ）１５４と、入力部１６４と、表示部１６６と、ストレージ部１６８と、撮像部５と、接続ポート１７２と、通信部１７４と、を備える。
【０１２２】
ＣＰＵ１５０は、演算処理装置および制御装置として機能し、各種プログラムに従って、表示制御装置１内の動作全般を制御する。また、ＣＰＵ１５０は、マイクロプロセッサであってもよく、別途、画像処理専用の演算処理を行う回路を備えていてもよい。さらに、画像処理専用の演算処理を行う回路は、撮像部５に備えられていてもよい。
【０１２３】
ＲＯＭ１５２は、ＣＰＵ１５０が使用するプログラム、演算パラメータを記憶し、ＲＡＭ１５４は、ＣＰＵ１５０の実行において使用するプログラムや、その実行において適宜変化するパラメータ等を一時記憶する。なお、プレビュー画、予測画像はＲＡＭ１５４に記憶されることが望ましいが、ＲＡＭ１５４の記憶容量が不足した場合は、ストレージ部１６８の記憶領域を使用してもよい。
【０１２４】
これらＣＰＵ１５０、ＲＯＭ１５２およびＲＡＭ１５４は、ブリッジ１５８、内部バス１５６、１６０等により相互に接続されている。また、ＣＰＵ１５０、ＲＯＭ１５２およびＲＡＭ１５４は、インターフェース１６２を介して入力部１６４、表示部１６６、ストレージ部１６８、撮像部５、接続ポート１７２および通信部１７４等とも接続されている。
【０１２５】
入力部１６４は、タッチパネル、ボタン、スイッチ、レバー、ダイヤル、マイクロフォン等、ユーザが情報を入力するための入力手段と、ユーザによる入力に基づいて入力信号を生成し、ＣＰＵ１５０に出力する入力制御回路などから構成されている。表示制御装置１のユーザは、該入力部１６４を操作することによって、表示制御装置１に対して各種データ入力や処理動作指示をすることができる。
【０１２６】
表示部１６６は、例えば、ＬＣＤ装置、ＯＬＥＤ装置およびランプなどであり、ユーザに撮像したプレビュー画、生成した予測画像、およびメニュー画面等を表示する。ここで、図１および２において説明した表示入力部３は、タッチパネル装置であり、表示部１６６および入力部１６４の機能を併せ持つ。
【０１２７】
ストレージ部１６８は、表示制御装置１の記憶部の一例として構成されたデータ格納用の装置である。ストレージ部１６８は、記憶媒体、記憶媒体にデータを記憶する記憶装置、記憶媒体からデータを読み出す読み出し装置、および記憶されたデータを削除する削除装置を含んでもよい。該ストレージ部１６８は、ＣＰＵ１５０が実行するプログラムおよび撮像部５が撮像した画像等の各種データを格納する。
【０１２８】
撮像部５は、ＣＭＯＳイメージセンサまたはＣＣＤイメージセンサなどの撮像素子および撮像レンズを備える。撮像部５は、撮像レンズを介して入射する被写体からの光を受光して撮像素子にて光電変換を行い、画像信号に変換し、被写体の画像を取得する。
【０１２９】
接続ポート１７２は、例えば、ＵＳＢ（Ｕｎｉｖｅｒｓａｌ  Ｓｅｒｉａｌ  Ｂｕｓ）ポート、光オーディオ端子等のような外部接続機器を接続するための接続ポートで構成された接続インターフェースである。
【０１３０】
通信部１７４は、例えば、ネットワーク７に接続するための通信デバイス等で構成された通信インターフェースである。また、通信部１７４は、無線ＬＡＮ対応通信装置であっても、有線によるケーブル通信を行うケーブル通信装置であってもよい。
【０１３１】
なお、ネットワーク７は、ネットワーク７に接続されている装置から送信される情報の有線、または無線の伝送路である。例えば、ネットワーク１２は、インターネット、電話回線網、衛星通信網などの公衆回線網やＬＡＮ、ＷＡＮ（Ｗｉｄｅ  Ａｒｅａ  Ｎｅｔｗｏｒｋ）などを含んでもよい。
【０１３２】
また、表示制御装置１に内蔵されるＣＰＵ、ＲＯＭおよびＲＡＭなどのハードウェアを上述した表示制御装置１の各構成と同等の機能を発揮させるためのコンピュータプログラムも作成可能である。また、該コンピュータプログラムを記憶させた記憶媒体も提供される。
【０１３３】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１３４】
なお、以下のような構成も本開示の技術的範囲に属する。
（１）撮像結果の予測画像をシャッター速度に基づいて生成する予測画像生成部と、前記シャッター速度に応じた更新周期で前記予測画像の表示を更新する表示制御部と、を備える表示制御装置。
（２）前記予測画像生成部は、複数の前記シャッター速度に基づいて、各シャッター速度に対応する前記予測画像をそれぞれ生成する、前記（１）に記載の表示制御装置。
（３）前記表示制御部は、各シャッター速度に対応する前記予測画像を同一画面に並べて表示させる、前記（２）に記載の表示制御装置。
（４）前記表示制御装置は、ユーザにより前記予測画像のいずれかが選択された場合、選択された前記予測画像に対応するシャッター速度を、撮像に使用する撮像条件に反映させる設定反映部をさらに備える、前記（２）または（３）に記載の表示制御装置。
（５）前記表示制御部は、前記予測画像を撮像中のプレビュー画に重畳して表示する、前記（１）〜（４）のいずれか一項に記載の表示制御装置。
（６）前記表示制御部は、ユーザの操作がされた場合、前記予測画像の更新の停止、または更新を停止した前記予測画像の更新の再開を行う、前記（１）〜（５）のいずれか一項に記載の表示制御装置。
（７）前記表示制御部は、前記予測画像に前記シャッター速度に応じたエフェクト処理を行い、前記エフェクト処理は、前記更新周期に応じた周期を有する、前記（１）〜（６）のいずれか一項に記載の表示制御装置。
（８）撮像結果の予測画像を撮像条件に基づいて生成する予測画像生成部と、前記撮像条件に応じて、前記予測画像へのエフェクト処理を行う表示制御部と、を備える表示制御装置。
（９）前記予測画像生成部は、複数の前記撮像条件に基づいて、各撮像条件に対応する前記予測画像をそれぞれ生成する、前記（８）に記載の表示制御装置。
（１０）前記表示制御部は、各撮像条件に対応する前記予測画像を同一画面に並べて表示させる、前記（９）に記載の表示制御装置。
（１１）前記表示制御装置は、ユーザにより前記予測画像のいずれかが選択された場合、選択された前記予測画像に対応する撮像条件を、撮像に使用する撮像条件に反映させる設定反映部をさらに備える、前記（９）または（１０）に記載の表示制御装置。
（１２）前記表示制御部は、前記予測画像を、撮像中のプレビュー画に重畳して表示する、前記（８）〜（１１）のいずれか一項に記載の表示制御装置。
（１３）前記表示制御部は、ユーザの操作がされた場合、前記エフェクト処理の停止、または停止した前記エフェクト処理の再開を行う、前記（８）〜（１２）のいずれか一項に記載の表示制御装置。
（１４）前記撮像条件は、シャッター速度を含む条件である、前記（８）〜（１３）のいずれか一項に記載の表示制御装置。
（１５）前記表示制御部は、速いシャッター速度に基づいて生成された前記予測画像ほど、該予測画像を速い速度で移動させるエフェクト処理を行う、前記（１４）に記載の表示制御装置。
（１６）前記表示制御部は、速いシャッター速度に基づいて生成された前記予測画像ほど、該予測画像を短い間隔で点滅させるエフェクト処理を行う、前記（１４）に記載の表示制御装置。
（１７）前記撮像条件は、絞り値、ＩＳＯ感度、またはホワイトバランスの少なくともいずれか一つを含む条件である、前記（８）〜（１３）のいずれか一項に記載の表示制御装置。
（１８）撮像結果の予測画像をシャッター速度に基づいて生成することと、前記シャッター速度に応じた更新周期で前記予測画像の表示を更新することと、を含む表示制御方法。
（１９）撮像結果の予測画像を撮像条件に基づいて生成することと、前記撮像条件に応じて、前記予測画像へのエフェクト処理を行うことと、を含む表示制御方法。
【符号の説明】
【０１３５】
１        表示制御装置
３        表示入力部
５        撮像部
１０２    プレビュー画記憶部
１０４    予測画像生成部
１０６    表示制御部
１１０    撮像設定記憶部
１１２    設定反映部
３００    プレビュー画
３０７    プレビュー画停止ボタン
３０９    プレビュー画再生ボタン
【図１】
2014123848.tif 000003
【図２】
2014123848.tif 000004
【図３】
2014123848.tif 000005
【図４】
2014123848.tif 000006
【図５】
2014123848.tif 000007
【図６】
2014123848.tif 000008
【図７】
2014123848.tif 000009
【図８】
2014123848.tif 000010
【図９】
2014123848.tif 000011
【図１０】
2014123848.tif 000012
【図１１】
2014123848.tif 000013
【図１２】
2014123848.tif 000014
【図１３】
2014123848.tif 000015
【図１４】
2014123848.tif 000016
【図１５】
2014123848.tif 000017
【図１６】
2014123848.tif 000018
【図１７】
2014123848.tif 000019
【図１８】
2014123848.tif 000020
【図１９】
2014123848.tif 000021